(57)【特許請求の範囲】
【請求項１】
上動して苗トレイＡからポット苗ａを受取るとともに下動してそのポット苗ａを土中に植付けることができる上下動自在のホッパ形植付爪１を装備した野菜移植機において、前記ホッパ形植付爪１の機体前方側には、土中を前進することができて後方側を開放された平断面が略コ字状となる溝切り板２を機体より垂設し、該溝切り板２と前記ホッパ形植付爪１との間の上方位には、前記溝切り板２の前進により作られる土中のポケットＰ内に殺虫剤を散布させることができる薬剤吐出口３を配備し、殺虫剤が散布されたポケットＰが土により埋め戻されるところに前記ホッパ形植付爪１が突入してポット苗ａを植付けることができるように構成したことを特徴とする殺虫剤散布装置。
【発明の詳細な説明】
【０００１】
【発明の属する技術分野】
本発明は、上下動するホッパ形植付爪により土中にポット苗を植付ける野菜移植機の殺虫剤散布装置に関する。
【０００２】
【従来の技術】
従来、上動して苗トレイからポット苗を受取るとともに下動してそのポット苗を土中に植付けることができる上下動自在のホッパ形植付爪を装備した野菜移植機において、本出願人が既に出願した特願平６−３２３４６０号に見られるように、植付爪によりポット苗が植付けられる前に、上方から地面上に殺虫剤を散布することは知られている。
【０００３】
【発明が解決しようとする課題】
しかしながら、そのように、殺虫剤を地面上に散布するだけでは、散布されたところに植付爪によりポット苗が植付けられても、ポット苗の根部の全周面にわたり殺虫剤をうまく付着させるような状態にさせることは難しく、薬剤効果が充分に発揮されるようなことにはならない、といった不具合を呈している。
【０００４】
【課題を解決するための手段】
本発明は、そのような不具合を解決し、薬剤効果が充分に発揮されるように殺虫剤を土中に有効に散布可能とするものであり、そのため、上動して苗トレイＡからポット苗ａを受取るとともに下動してそのポット苗ａを土中に植付けることができる上下動自在のホッパ形植付爪１を装備した野菜移植機において、前記ホッパ形植付爪１の機体前方側には、土中を前進することができて後方側を開放された平断面が略コ字状となる溝切り板２を機体より垂設し、該溝切り板２と前記ホッパ形植付爪１との間の上方位には、前記溝切り板２の前進により作られる土中のポケットＰ内に殺虫剤を散布させることができる薬剤吐出口３を配備し、殺虫剤が散布されたポケットＰが土により埋め戻されるところに前記ホッパ形植付爪１が突入してポット苗ａを植付けることができるように構成したものである。
【０００５】
【発明の実施の形態】
図１は野菜移植機を概略示した側面図であり、前部にエンジン４等を搭載した機体の下部前後にはそれぞれスイングができる両前輪５及び両後輪６を配備し、両前輪５の間には鎮圧輪７を、また、両後輪６間の後方には両培土輪８をそれぞれ配備し、機体の後方に延出するハンドル９の前方位には、野菜のポット苗ａを装填した苗トレイＡを供給する供給部１０を装備し、両後輪６の後部の間には、ミッションケース１１から伝動ケース１２を介して駆動される上下動自在のホッパ形植付爪１を配備し、該植付爪１の上方位には、前記苗トレイＡから１個のポット苗ａを取り出して、上動している植付爪１に供給することができる苗取り出し爪１３を配備して従来形構造同様に構成する。
【０００６】
前記植付爪１の機体前方側には、土中を前進することができて後方側を開放された平断面が略コ字状となる溝切り板２を機体より垂設するが、該溝切り板２には図３に示すように前傾姿勢にしてその前面に固着した支杆２ａの上部を取付金具１４に固定し、前記伝動ケース１２から前記培土輪８の側へ延出する覆土フレーム１５には支持枠板１６を固設し、前記取付金具１４を前記支持枠板１６に対しボルト１７及び１８を介して前後調節自在にするとともに前記溝切り板２を前後調節自在にして構成する。
【０００７】
前記溝切り板２と前記植付爪１との間の上方には、前記溝切り板２の前進により作られる土中のポケットＰ内に粉粒状の殺虫剤を散布させることができる薬剤吐出口３を配備し、殺虫剤が散布されたポケットＰが土により埋め戻されるところに前記植付爪１が突入してポット苗ａを植付けることができるように構成するが、前記薬剤吐出口３は下向きのパイプにして、前記伝動ケース１２の終端側の植付爪伝動ケースに架設した支持板１９に固設し、機体の上方に支持台２０及び支持杆２１を介して架設した粉粒状の殺虫剤のタンク２２の下部には、散布１回分の調量シャッタと植付爪１の上下動に同調して前記シャッタを開閉させる電磁ソレノイドからなる開閉機構２３を設けるとともに、その下方から延出するホース２４の下端部を前記薬剤吐出口３に連通連設し、また、支点軸２５中心に回動して前記薬剤吐出口３を開閉させることができる開閉弁３１を設け、前記支点軸２５より延出するアーム２６の先端部には、前記伝動ケース１２より駆動されて植付爪１を上下動させる出力軸２７に嵌着したカム２８の外周縁に接触できるローラ２９を軸架するとともに、前記アーム２６にはローラ２９をカム２８側に弾圧するトルクばね３０を介装して構成する。
【０００８】
したがって、機体が矢印イ方向に前進し、畝Ｂの上面の土中を溝切り板２が前進すると、その後方にはポケットＰができることになるが、矢印ロ方向に回動するカム２８により、図７に示すように、開閉弁３１が開かれて、ホース２４内を流下している散布１回分の殺虫剤が薬剤吐出口３から矢印ハで示すように落下するとともに、ポケットＰ内の周面に広く良好に散布されることになり、その直後には、図６に示すように、ポケットＰの両側方から矢印ニ、ホで示すように土がなだれこんで殺虫剤とうまく混和されながら埋め戻されることになり、そこの部位に植付爪１が突入してポット苗ａを図７に仮想線で示すように植付けると、薬剤効果が充分に発揮されるよう、土中のポット苗ａの根部の全周面にわたって殺虫剤が附着するように有効に散布することができる。
【０００９】
【発明の効果】
このように本発明は、土中を前進する溝切り板２の後方に送られるポケットＰ内の周面に薬剤吐出口３から殺虫剤を広く有効に散布することができることになり、その直後にポケットＰの両側方から土がなだれこんで殺虫剤とうまく混和しながら埋め戻されたところにホッパ形植付爪１が突入してポット苗ａを植付けることができることになって、植付けられるポット苗ａの根部の全周囲には土にうまく混和された殺虫剤が付着するような状態となり、薬剤効果が充分に発揮されるよう、土中のポット苗ａの根部の全周面にわたって殺虫剤が良好に付着するよう有効に散布できることになり、しかも、ポケットＰの埋め戻されたところにホッパ形植付爪１がスムーズに突入することができることになってポット苗ａを姿勢良く植付けることができることになり、野菜移植機の殺虫剤散布装置として好適に実施できる特長を有する。
【図面の簡単な説明】
【図１】野菜移植機全体を概略示した側面図である。
【図２】図１の一部を概略示した側面図である。
【図３】本発明に係る要部を示した側面図である。
【図４】図１の一部を拡大して示した側面図である。
【図５】溝切り板を示した斜視図である。
【図６】溝切り板をを平断面にして示した作動説明図である。
【図７】図３の一部で示した作動説明図である。
【符号の説明】
Ａ    苗トレイ
ａ    ポット苗
１    ホッパ形植付爪
２    溝切り板
Ｐ    ポケット
３    薬剤吐出口
【図１】
0003626543.tif 000002
【図２】
0003626543.tif 000003
【図３】
0003626543.tif 000004
【図４】
0003626543.tif 000005
【図５】
0003626543.tif 000006
【図６】
0003626543.tif 000007
【図７】
0003626543.tif 000008